(57)【特許請求の範囲】
【請求項１】
床と、床から立ち上る壁との間に位置し屋内や屋外における巨大空間に連通した状態の居住域空間を空調する方法であって、
前記居住域空間の上方に位置する前記壁箇所から前記居住域空間の上方で延在するようにガイド板を突設し、
前記ガイド板の上方の前記壁箇所に循環流作成用空気吹き出し口を設け、
前記循環流作成用空気吹き出し口から空気を吹き出してコアンダ効果によりその空気の流れを床側に曲げ、
前記曲げられた空気の流れにより、前記居住域空間に、コアンダ効果により床、壁、ガイド板、前記曲げられた空気の流れに沿って循環する循環流を生じさせ、
前記循環流に暖気または冷気を供給し、
前記暖気または冷気を前記循環流により前記居住域空間に循環させるようにした、
ことを特徴とする空調方法。
【請求項２】
前記居住域空間への暖気の供給は、前記壁または床またはガイド板を暖め、壁または床またはガイド板に近接する空気を暖めることで行われ、前記居住域空間への冷気の供給は、前記壁または床またはガイド板を冷やし、壁または床またはガイド板に近接する空気を冷やすことで行われることを特徴とする請求項１記載の空調方法。
【請求項３】
前記居住域空間への暖気または冷気の供給は、前記ガイド板の下方の前記壁箇所に空調用空気吹き出し口を設け、この空調用空気吹き出し口から暖気または冷気を吹き出させることで行われることを特徴とする請求項１記載の空調方法。
【請求項４】
前記ガイド板の下方の前記壁箇所に排気口を設け、この排気口から前記居住域空間の空気を吸い込んで居住域空間外へ排出するようにしたことを特徴とする請求項１記載の空調方法。
【請求項５】
前記ガイド板を前記壁から離間接近する方向に動かし、これにより前記循環流の大きさや位置を変えるようにしたことを特徴とする請求項１記載の空調方法。
【請求項６】
前記ガイド板の水平面に対する傾きを変え、これにより前記循環流の大きさや位置を変えるようにしたことを特徴とする請求項１記載の空調方法。
【請求項７】
前記ガイド板を前記壁から切り離して配置し、前記ガイド板の上方に上壁を臨ませ、前記ガイド板と上壁との間に、前記循環流作成用空気吹き出し口から吹き出される空気の流路を区画し、前記循環流に乗って流れる空気の一部を、前記切り離された前記ガイド板と前記壁との間から前記流路へ吸い込ませるようにしたことを特徴とする請求項１記載の空調方法。
【請求項８】
床と、床から立ち上る壁との間に位置し屋内や屋外における巨大空間に連通した状態の居住域空間を暖房する方法であって、
前記居住域空間の上方に位置する前記壁箇所に循環流作成用空気吹き出し口を設け、
前記循環流作成用空気吹き出し口から、暖房前の居住域空間の空気の温度とほぼ等しい温度の空気を吹き出してコアンダ効果によりその空気の流れを床側に曲げ、
前記曲げられた空気の流れにより、前記居住域空間に、コアンダ効果により床、壁、循環流作成用空気吹き出し口から吹き出される空気の流れ、前記曲げられた空気の流れに沿って循環する循環流を作り、
前記循環流が作られた後、前記循環流作成用空気吹き出し口から吹き出す空気の温度を、前記居住域空間を暖房すべき所望の温度まで徐々に上昇させていくようにした、
ことを特徴とする暖房方法。
【請求項９】
前記循環流作成用空気吹き出し口から吹き出す空気の温度を、前記居住域空間を暖房すべき所望の温度に上昇させた暖房運転時、前記居住域空間の温度が所定値以下に下がった場合に、前記循環流作成用空気吹き出し口から吹き出す空気の温度を暖房前の居住域空間の当初の空気の温度に戻し、循環流を作り直すようにしたことを特徴とする請求項８記載の暖房方法。
【請求項１０】
床と、床から立ち上る壁との間に位置し屋内や屋外における巨大空間に連通した状態の居住域空間を暖房する方法であって、
前記居住域空間の上方に位置する前記壁箇所に循環流作成用空気吹き出し口を設け、
前記循環流作成用空気吹き出し口から空気を吹き出してコアンダ効果によりその空気の流れを床側に曲げ、
前記曲げられた空気の流れにより、前記居住域空間に、コアンダ効果により床、壁、前記循環流作成用空気吹き出し口から吹き出される空気の流れ、前記曲げられた空気の流れに沿って循環する循環流を生じさせ、
前記壁または床を暖めて壁または床に近接する空気を暖め、
この暖められた暖気を前記循環流に乗せることで前記居住域空間の暖房を行なうようにした、
ことを特徴とする暖房方法。
【請求項１１】
床と、床から立ち上る壁との間に位置し屋内や屋外における巨大空間に連通した状態の居住域空間を暖房する方法であって、
前記居住域空間の上方に位置する前記壁箇所に循環流作成用空気吹き出し口を設け、
前記循環流作成用空気吹き出し口の上方の前記壁箇所に上吹き出し口を設け、
前記循環流作成用空気吹き出し口から暖気を吹き出すと共に、前記上吹き出し口から、暖房前の前記居住域空間の空気の温度とほぼ等しい温度の空気を吹き出し、
前記上吹き出し口からの空気の流れにより前記循環流作成用空気吹き出し口からの暖気の流れの浮き上がりを阻止し、
コアンダ効果により前記循環流作成用空気吹き出し口からの暖気の流れを床側に曲げ、
前記曲げられた暖気の流れにより、前記居住域空間に、コアンダ効果により床、壁、前記循環流作成用空気吹き出し口から吹き出される暖気の流れ、前記曲げられた暖気の流れに沿って暖気が循環する循環流を生じさせ、これにより前記居住域空間の暖房を行なうようにした、
ことを特徴とする暖房方法。
【請求項１２】
前記循環流作成用空気吹き出し口は、壁に沿った居住域空間の幅方向の全長にわたって設けられていることを特徴とする請求項１乃至７に何れか１項記載の空調方法または請求項８乃至１１に何れか１項記載の暖房方法。
【請求項１３】
前記ガイド板は、壁に沿った居住域空間の幅方向の全長にわたって設けられていることを特徴とする請求項１乃至７に何れか１項記載の空調方法。
【請求項１４】
前記上吹き出し口は、壁に沿った居住域空間の幅方向の全長にわたって設けられていることを特徴とする請求項１１記載の暖房方法。
【請求項１５】
前記循環流作成用空気吹き出し口から吹き出される空気の流量を変えることで前記循環流の大きさや位置を変えるようにしたことを特徴とする請求項１乃至７に何れか１項記載の空調方法または請求項８乃至１１に何れか１項記載の暖房方法。
【発明の詳細な説明】
【０００１】
【発明の属する技術分野】
本発明は屋内や屋外において居住域空間を、コアンダ（ＣＯＡＮＤＡ）効果を利用して効率良く空調する空調方法に関する。
【０００２】
【従来の技術】
従来、屋内や屋外の大空間においてその居住域空間の空調を行なう場合、その居住域空間に臨ませて吹き出し口を設け、この吹き出し口から暖気や冷気を居住域空間に直接吹き付けることがなされている。
【０００３】
【発明が解決しようとする課題】
しかしながら、このような従来の方法では、暖気の場合には居住域空間の上方に浮き上がりがちとなり、また、冷気の場合には下方に沈み込んで居住域空間をそのまま通り過ぎてしまう。
そのため、屋内や屋外の居住域空間に暖気や冷気などを閉じ込めることができず、空調を効率良く行なうことができない不具合があった。
一方、気体の性質として、物体の近傍を気体が流動している場合、気体は物体に沿って流れようとする現象が知られており、この現象は所謂コアンダ（ＣＯＡＮＤＡ）効果と呼ばれている。
本発明はこのコアンダ効果に着目して案出されたものであって、本発明の目的は、コアンダ効果を利用することで屋内や屋外の居住域空間の空調を効率良く行なえる空調方法を提供することにある。
【０００４】
【課題を解決するための手段】
前記目的を達成するため本発明は、床と、床から立ち上る壁との間に位置し屋内や屋外における巨大空間に連通した状態の居住域空間を空調する方法であって、前記居住域空間の上方に位置する前記壁箇所から前記居住域空間の上方で延在するようにガイド板を突設し、前記ガイド板の上方の前記壁箇所に循環流作成用空気吹き出し口を設け、前記循環流作成用空気吹き出し口から空気を吹き出してコアンダ効果によりその空気の流れを床側に曲げ、前記曲げられた空気の流れにより、前記居住域空間に、コアンダ効果により床、壁、ガイド板、前記曲げられた空気の流れに沿って循環する循環流を生じさせ、前記循環流に暖気または冷気を供給し、前記暖気または冷気を前記循環流により前記居住域空間に循環させるようにしたことを特徴とする。
また、本発明は、床と、床から立ち上る壁との間に位置し屋内や屋外における巨大空間に連通した状態の居住域空間を暖房する方法であって、前記居住域空間の上方に位置する前記壁箇所に循環流作成用空気吹き出し口を設け、前記循環流作成用空気吹き出し口から、暖房前の居住域空間の空気の温度とほぼ等しい温度の空気を吹き出してコアンダ効果によりその空気の流れを床側に曲げ、前記曲げられた空気の流れにより、前記居住域空間に、コアンダ効果により床、壁、循環流作成用空気吹き出し口から吹き出される空気の流れ、前記曲げられた空気の流れに沿って循環する循環流を作り、前記循環流が作られた後、前記循環流作成用空気吹き出し口から吹き出す空気の温度を、前記居住域空間を暖房すべき所望の温度まで徐々に上昇させていくようにしたことを特徴とする。
また、本発明は、床と、床から立ち上る壁との間に位置し屋内や屋外における巨大空間に連通した状態の居住域空間を暖房する方法であって、前記居住域空間の上方に位置する前記壁箇所に循環流作成用空気吹き出し口を設け、前記循環流作成用空気吹き出し口から空気を吹き出してコアンダ効果によりその空気の流れを床側に曲げ、前記曲げられた空気の流れにより、前記居住域空間に、コアンダ効果により床、壁、前記循環流作成用空気吹き出し口から吹き出される空気の流れ、前記曲げられた空気の流れに沿って循環する循環流を生じさせ、前記壁または床を暖めて壁または床に近接する空気を暖め、この暖められた暖気を前記循環流に乗せることで前記居住域空間の暖房を行なうようにしたことを特徴とする。
また、本発明は、床と、床から立ち上る壁との間に位置し屋内や屋外における巨大空間に連通した状態の居住域空間を暖房する方法であって、前記居住域空間の上方に位置する前記壁箇所に循環流作成用空気吹き出し口を設け、前記循環流作成用空気吹き出し口の上方の前記壁箇所に上吹き出し口を設け、前記循環流作成用空気吹き出し口から暖気を吹き出すと共に、前記上吹き出し口から、暖房前の前記居住域空間の空気の温度とほぼ等しい温度の空気を吹き出し、前記上吹き出し口からの空気の流れにより前記循環流作成用空気吹き出し口からの暖気の流れの浮き上がりを阻止し、コアンダ効果により前記循環流作成用空気吹き出し口からの暖気の流れを床側に曲げ、前記曲げられた暖気の流れにより、前記居住域空間に、コアンダ効果により床、壁、前記循環流作成用空気吹き出し口から吹き出される暖気の流れ、前記曲げられた暖気の流れに沿って暖気が循環する循環流を生じさせ、これにより前記居住域空間の暖房を行なうようにしたことを特徴とする。
【０００５】
本発明では、コアンダ効果により屋外または屋内の居住域空間に循環流を作り、この循環流を利用して居住域空間の暖房や冷房を行なう。
【０００６】
【発明の実施の形態】
以下、本発明の実施の形態を添付図面にしたがって説明する。
まず、第１の実施の形態から説明する。
図１（Ａ）、（Ｂ）はそれぞれ建物の外壁部分の側面図で第１、第２実施例の空調方法の説明図を示す。
第１、第２実施例では、図１（Ａ）、（Ｂ）に示すように、空調すべき居住域空間１２は、例えば、建物１４の内部の巨大空間をなすアトリウムの一部分であり、壁１６の側方部分である。
居住域空間１２を空調するに際して、居住域空間１２の上部に位置する壁１６箇所に循環流作成用空気吹き出し口１８を設け、また、循環流作成用空気吹き出し口１８の下方の壁１６箇所にガイド板２０を設ける。
前記循環流作成用空気吹き出し口１８は、居住域空間１２の直上において、居住域空間１２の左右幅（壁１６の延在方向における寸法）とほぼ同じ寸法で水平方向に延在して形成されている。
【０００７】
図１（Ａ）に示すように第１実施例では、前記ガイド板２０は均一な厚みの平坦な板状で、居住域空間１２の直上において居住域空間１２の左右幅（壁１６の延在方向における寸法）とほぼ同じ寸法で水平方向に延在し、かつ、壁１６から直角で水平に突出し、その突出長さＬは、居住域空間１２の奥行き（壁１６と直交する方向における寸法）よりも短い寸法で形成されている。
なお、前記循環流作成用空気吹き出し口１８とガイド板２０は、居住域空間１２の左右幅方向の全長にわたり連続状に延在形成されている必要はなく、居住域空間１２の左右幅方向に間隔をおいて複数設けられていてもよい。
【０００８】
以上の構成において循環流作成用空気吹き出し口１８から水平に空気を吹き出すと、循環流作成用空気吹き出し口１８の下方にガイド板２０が位置するため、循環流作成用空気吹き出し口１８からの空気の流れＮ１は所謂コアンダ（ＣＯＡＮＤＡ）効果によりガイド板２０側に曲げられ、ガイド板２０の先方において床２２に徐々に近づく空気の流れＮ２となる。
そして、床２２に徐々に近づく空気の流れＮ２により、空気の流れＮ２の下方に空気の流れＮ２に沿って流れる空気の流れＮ３０１が生じ、この空気の流れＮ３０１はコアンダ（ＣＯＡＮＤＡ）効果により床２２の上方において床２２に沿って壁１６に向かう空気の流れＮ３０２となり、この空気の流れＮ３０２は壁１６の前方で壁１６に沿って上方に向かう空気の流れＮ３０３となり、この空気の流れＮ３０３はガイド板２０の下方でガイド板２０に沿って前方に向かう空気の流れＮ３０４となり、この空気の流れＮ３０４は前記空気の流れＮ３０１となり、このようにして循環流Ｎ３が発生する。
すなわち、循環流作成用空気吹き出し口１８から空気を連続的に吹き出すと、空気の流れＮ１はコアンダ効果により曲げられて空気の流れＮ２となり、さらに、コアンダ効果により、床２２と、壁１６と、ガイド板２０に沿って空気が流れ居住域空間１２内を循環する循環流Ｎ３が定常的に発生する。
【０００９】
そして、循環流Ｎ３が発生することから、居住域空間１２内の空気は居住域空間空間１２内で循環することになり、居住域空間１２内の空気が空気流れＮ２の外側へ漏れることが防止される。
このような循環流Ｎ３は、循環流作成用空気吹き出し口１８の床２２からの高さや、循環流作成用空気吹き出し口１８から吹き出させる空気の流量や温度、循環流作成用空気吹き出し口１８とガイド板２０との間の距離、ガイド板２０の長さＬや形状等を設定することで、その大きさや位置が変えられる。
【００１０】
したがって、循環流Ｎ３が発生する居住域空間１２が居住域空間１２となるように、循環流作成用空気吹き出し口１８の床２２からの高さや、循環流作成用空気吹き出し口１８から吹き出させる空気の流量や温度、循環流作成用空気吹き出し口１８とガイド板２０との間の距離、ガイド板２０の長さＬや形状等を設定し、居住域空間１２に暖気や冷気を供給してやれば、これらの暖気や冷気は居住域空間１２外に逃げることなく居住域空間１２内を循環し、居住域空間１２の空調が効率良くなされることになる。
例えば、図１（Ｂ）の第２実施例で示すように、ガイド板２０の形状を、その上面が斜め前方に凸の円筒面２０Ａになるように形成すると、循環流作成用空気吹き出し口１８からの空気の流れＮ１は所謂コアンダ（ＣＯＡＮＤＡ）効果により、ガイド板２０の先方において、前記の平坦な板状のガイド板２０の場合に比べてより急激に床２２に近づく空気の流れＮ２となり、これにより前記と同様にコアンダ効果により循環流Ｎ３が生じる。そして、この循環流Ｎ３は、平坦な板状のガイド板２０を用いた場合に比べて壁１６からの距離が前記の場合に比べて短いところを循環するようになる。
【００１１】
したがって、空調すべき居住域空間１２も狭くなり、このようにガイド板２０の形状を変えることでも空調すべき居住域空間１２の大きさを調節できる。
上述のようにコアンダ効果を利用した本発明の空調の方法は、暖気や冷気のみならず、香りや匂いなども所望領域の空間内に閉じ込めることができる。
また、本発明の空調方法は、屋内の空間のみならず、風があれば風の影響を受けるものの屋外にも無論適用され、したがって、本発明において床とは地面をも含む広い概念である。
例えば、屋根を有する店舗の場合、屋根の形状を予め決めておき、店舗の外壁（外面）で屋根が突出する部分の上部に、外方に向けて吹き出し口を設け、吹き出し口から空気を吹き出すことで店舗の外側の外部空間に循環流を生じさせ、これにより食べ物の臭気を閉じ込めておくことができ、隣接する店舗に臭気が流れないようにすることができる。
【００１２】
つぎに、第３乃至第５実施例について図２を参照して説明する。
第３乃至第５実施例の三つの例について図１と同様な箇所、部材に同一の符号を付して説明すると、図２（Ａ）乃至（Ｃ）はそれぞれ建物の外壁部分の側面図で第３乃至第５実施例の空調方法の説明図を示す。
第３乃至第５実施例では、図１と同様に、空調すべき居住域空間１２は、例えば、建物１４の内部の巨大空間をなすアトリウムの一部分であり、壁１６の側方部分である。
居住域空間１２を空調するに際して、居住域空間１２の上部に位置する壁１６箇所に循環流作成用空気吹き出し口１８が設けられ、循環流作成用空気吹き出し口１８の下方の壁１６箇所にガイド板２０が設けられている。
【００１３】
前記循環流作成用空気吹き出し口１８は、居住域空間１２の左右幅とほぼ同じ寸法で水平方向に延在して形成されている。
第３実施例および第４実施例では、図２（Ａ）、（Ｂ）に示すように、ガイド板２０は均一な厚みの平坦な板状で、居住域空間１２の左右幅とほぼ同じ寸法で水平方向に延在し、かつ、壁１６から直角で水平に突出している。
図２（Ｃ）に示す第５実施例では、ガイド板２０の上面が斜め前方に凸の円筒面２０Ａになるように形成されている。
以上の構成において循環流作成用空気吹き出し口１８から水平に空気が吹き出されると、循環流作成用空気吹き出し口１８からの空気の流れＮ１はコアンダ効果によりガイド板２０側に曲げられ、ガイド板２０の先方において床２２に徐々に近づく空気の流れＮ２となり、この空気の流れＮ２とコアンダ効果により、循環流Ｎ３が定常的に発生し、居住域空間１２内の空気が空気流れＮ２の外側へ漏れることが防止される。
【００１４】
図２（Ａ）に示す第３実施例では、ガイド板２０よりも下方に位置する外壁１６部分に発熱体（不図示）が埋め込まれている。そして、発熱体に通電することで外壁１６の内面１６Ａが暖められ、この外壁１６の内面１６Ａにより空気が暖められて暖気が発生し、暖気が循環流Ｎ３により居住域空間１２内を循環することになり、居住域空間１２の暖房がなされる。なお、居住域空間１２を構成する床２２を暖め、床２２から暖気を発生させ、この暖気を循環流Ｎ３に乗せるようにしてもよい。
図２（Ｂ）、（Ｃ）に示す第４、第５実施例では、ガイド板２０に発熱体（不図示）が埋め込まれている。そして、発熱体に通電することで、ガイド板２０の上面の空気が暖められて暖気が発生し、この暖気が空気の流れＮ１、Ｎ２にのって循環流Ｎ３に混じり、循環流Ｎ３により暖気が居住域空間１２内を循環することになり、居住域空間１２の暖房がなされる。
なお、第３乃至第５実施例において、壁１６や床２２あるいはガイド板２０を冷却すれば、冷気が発生し、居住域空間１２の冷房がなされることになる。
【００１５】
つぎに、第１の実施の形態の第６、第７実施例について図３を参照して説明する。
図３（Ａ）、（Ｂ）はそれぞれ建物の内部の外周部分の側面図で第６、第７実施例の空調方法の説明図を示す。
第６、第７実施例では、空調すべき居住域空間１２は、例えば、ドーム型の陸上競技場や野球場、サッカー場をなす建物１４の内部の巨大空間の一部分である（無論、屋外空間の一部分や建物の内部で上部が大気に開放されている空間であってもよい）。
建物１４の内部の外周部は、高さの異なる複数の床２２と、建物の内部に向いた複数の壁１６により建物１４の外側に向かうにつれて高くなる階段型に形成されており、各床２２上で壁１６の側方部分がそれぞれ居住域空間１２となっている。
各居住域空間１２を空調するに際して、居住域空間１２の上部に位置する壁１６箇所に循環流作成用空気吹き出し口１８が設けられ、循環流作成用空気吹き出し口１８の下方の壁１６箇所にガイド板２０が設けられている。
ガイド板２０は、第６実施例では、図３（Ａ）に示すように、ガイド板２０の上面が斜め前方に凸の円筒面２０Ａになるように形成され、第７実施例では、図４（Ｂ）に示すように、ガイド板２０は均一な厚みの平坦な板状に形成されている。
【００１６】
各循環流作成用空気吹き出し口１８から水平に空気が吹き出されると、循環流作成用空気吹き出し口１８からの空気の流れＮ１はコアンダ効果によりガイド板２０側に曲げられ、ガイド板２０の先方において床２２に徐々に近づく空気の流れＮ２となり、この空気の流れＮ２とコアンダ効果により、循環流Ｎ３が定常的に発生し、各居住域空間１２内の空気が空気流れＮ２の外側へ漏れることが防止される。なお、図３において符号２６Ａは建物１４の内部で天井２８に沿った空気の流れを示しており、符号２６Ｂは建物１４の内部の外周部上の空気の流れを示している。
したがって、前記の図２（Ａ）乃至（Ｃ）に示す方法によりあるいは他の方法により各居住域空間１２へ暖気を供給すれば、各居住域空間１２の暖房がなされ、また、冷気を供給すれば、各居住域空間１２の冷房がなされることになる。
【００１７】
次に、図４（Ａ）、（Ｂ）を参照して第８、第９実施例について説明する。
図４（Ａ）、（Ｂ）はそれぞれ建物の内部の外周部分の側面図で第８、第９実施例の空調方法の説明図を示す。
第１の実施の形態と同様な箇所、部材に同一の符号を付して説明すると、第８、第９実施例では、ガイド板２０の下方に、居住域空間１２に暖気や冷気を吹き出させる点が前記第３乃至第５実施例と異なっている。
図４（Ａ）、（Ｂ）に示す第８、第９実施例では、暖気や冷気を吹き出させる空調用空気吹き出し口３２は、ガイド板２０の下方の壁１６箇所に居住域空間１２に臨ませて設けられている。
前記空調用空気吹き出し口３２は、居住域空間１２の直上において、居住域空間１２の左右幅（壁１６の延在方向における寸法）とほぼ同じ寸法で水平方向に延在して形成されている。なお、空調用空気吹き出し口３２は循環流作成用空気吹き出し口１８の如く居住域空間１２の左右幅に対応させて連続状に形成する必要はなく、空調用空気吹き出し口３２を循環流作成用空気吹き出し口１８の延在方向に間隔をおいて複数設けるようにしてもよい。
なお、図４（Ａ）、（Ｂ）に示す例では、ガイド板２０の上面が共に斜め前方に凸の円筒面２０Ａになるように形成され、ガイド板２０の壁１６からの突出長さは、図４（Ａ）の例が図４（Ｂ）の例よりも短く、したがって、図４（Ａ）の例では図４（Ｂ）に比べて狭い居住域空間１２が形成されている。
【００１８】
第８、第９実施例では、循環流作成用空気吹き出し口１８から空気が吹き出されると、前記第１の実施の形態と同様に、循環流作成用空気吹き出し口１８からの空気の流れＮ１はコアンダ効果によりガイド板２０側に曲げられた空気の流れＮ２となり、この空気の流れＮ２とコアンダ効果により、循環流Ｎ３が発生する。
すなわち、循環流作成用空気吹き出し口１８から空気を吹き出させると、循環流作成用空気吹き出し口１８からの空気流れＮ１はコアンダ効果により床２２に近づくように下方に曲げられた空気流れＮ２となる。そして、床２２に近づく空気の流れＮ２により、空気の流れＮ２の下方に空気の流れＮ２に沿って流れる空気の流れＮ３０１が生じ、この空気の流れＮ３０１はコアンダ効果により床２２の上方において床２２に沿って壁１６に向かう空気の流れＮ３０２となり、この空気の流れＮ３０２は壁１６の前方で壁１６に沿って上方に向かう空気の流れＮ３０３となり、この空気の流れＮ３０３は空気流れＮ１、Ｎ２に沿って前方に向かう空気の流れＮ３０４、前記空気流れＮ３０１となり、このようにして循環流Ｎ３が発生する。
【００１９】
このように、ガイド板２０と床２２と壁１６で囲まれた空間内に循環流Ｎ３が定常的に発生し、居住域空間１２内の空気が空気流れＮ２の外側へ漏れることが防止される。
そして、空調用空気吹き出し口３２から暖気または冷気が吹き出されることで、これら暖気や冷気は循環流Ｎ３に乗って居住域空間１２内を循環することになり、居住域空間１２の空調（暖房または冷房）がなされる。
なお、ガイド板２０の下面に、パネル状の放熱体または吸熱体を取り付け、空調用空気吹き出し口３２から吹き出される空気とこれら放熱体または吸熱体との間で熱交換を行なわせ、空調用空気吹き出し口３２から吹き出される吹き出し空気の温度調節を行なうことも可能である。
また、循環流作成用空気吹き出し口１８から吹き出される空気の流量と、空調用空気吹き出し口３２から吹き出される空気の流量を調節することで、居住域空間１２の大きさの調節も行なえるようになる。すなわち、循環流作成用空気吹き出し口１８から吹き出される空気の風量を小さくし、空調用空気吹き出し口３２から吹き出される空気の風量を大きくすることで、居住域空間１２を循環流作成用空気吹き出し口１８（または、空調用空気吹き出し口３２）から吹き出される空気の噴流方向に大きくでき、逆に、循環流作成用空気吹き出し口１８から吹き出される空気の風量を大きくし、空調用空気吹き出し口３２から吹き出される空気の風量を小さくすることで、居住域空間１２を循環流作成用空気吹き出し口１８（または、空調用空気吹き出し口３２）から吹き出される空気の噴流方向に小さくできる。
【００２０】
次に、図５（Ａ）、（Ｂ）を参照して第１０、第１１実施例について説明する。
図５（Ａ）、（Ｂ）はそれぞれ建物の内部の外周部分の側面図で第１０、第１１実施例の空調方法の説明図を示す。
第１０、第１１実施例では、空調すべき居住域空間１２は、例えば、ドーム型の陸上競技場や野球場、サッカー場をなす建物１４の内部の巨大空間の一部分である（無論、屋外空間の一部分や建物の内部で上部が大気に開放されている空間であってもよい）。
建物１４の内部の外周部は、高さの異なる複数の床２２と、建物の内部に向いた複数の壁１６により建物１４の外側に向かうにつれて高くなる階段型に形成されており、各床２２上で壁１６の側方部分がそれぞれ居住域空間１２となっている。
各居住域空間１２を空調するに際して、居住域空間１２の上部に位置する壁１６箇所に循環流作成用空気吹き出し口１８が設けられ、循環流作成用空気吹き出し口１８の下方の壁１６箇所にガイド板２０が設けられ、ガイド板２０の下方の壁１６箇所に空調用空気吹き出し口３２が設けられてている。
ガイド板２０は、第１０実施例では、図５（Ａ）に示すように、ガイド板２０の上面が斜め前方に凸の円筒面２０Ａになるように形成され、第１１実施例では、図５（Ｂ）に示すように、ガイド板２０は均一な厚みの平坦な板状に形成されている。
【００２１】
各循環流作成用空気吹き出し口１８から水平に空気が吹き出されると、循環流作成用空気吹き出し口１８からの空気の流れＮ１はコアンダ効果によりガイド板２０側に曲げられ、ガイド板２０の先方において床２２に徐々に近づく空気の流れＮ２となり、この空気の流れＮ２とコアンダ効果により、各居住域空間１２に循環流Ｎ３が定常的に発生し、各居住域空間１２内の空気が空気流れＮ２の外側へ漏れることが防止される。
そして、空調用空気吹き出し口３２から暖気または冷気が吹き出されることで、これら暖気や冷気は循環流Ｎ３に乗って居住域空間１２内を循環することになり、各居住域空間１２の空調（暖房または冷房）がなされる。
【００２２】
次に、図６（Ａ）、（Ｂ）を参照して第１２，第１３実施例について説明する。
図６（Ａ）、（Ｂ）はそれぞれ建物の内部の外周部分の側面図で第１２、第１３実施例の空調方法の説明図を示す。
第１の実施の形態と同様な箇所、部材に同一の符号を付して説明すると、第１２、第１３実施例では、ガイド板２０の下方から、居住域空間１２内の空気を居住域空間１２外へ排出し、居住域空間１２の換気を行なうようにした点が前記第１乃至第１１実施例と異なっている。
図６（Ａ）、（Ｂ）に示す第１２、第１３実施例では、居住域空間１２内の空気を居住域空間１２外へ排出する排気口３４が、ガイド板２０の直下の壁１６箇所に居住域空間１２に臨ませて設けられている。
前記排気口３４は、居住域空間１２の直上において、居住域空間１２の左右幅（壁１６の延在方向における寸法）とほぼ同じ寸法で水平方向に延在して形成されている。なお、排気口３４は循環流作成用空気吹き出し口１８と同様に、居住域空間１２の左右幅に対応させて連続状に形成する必要はなく、壁１６の左右幅方向に間隔をおいて複数設けるようにしてもよい。
なお、図６（Ａ）に示す第１２実施例では、ガイド板２０の上面および下面が前方に凸の円筒面２０Ａになるように形成され、図６（Ｂ）に示す第１３実施例では、ガイド板２０の上面が、後部が高く前部が低い階段状に形成されている。
【００２３】
第１２、第１３実施例では、循環流作成用空気吹き出し口１８から空気が吹き出されると、前記第１乃至第１１実施例と同様に、循環流作成用空気吹き出し口１８からの空気の流れＮ１はコアンダ効果によりガイド板２０側に曲げられた空気の流れＮ２となり、この空気の流れＮ２とコアンダ効果により、ガイド板２０と床２２と壁１６で囲まれた空間内に循環流Ｎ３が定常的に発生し、居住域空間１２内の空気が空気流れＮ２の外側へ漏れることが防止される。
従って、例えば、前記３乃至第５実施例と同様に、居住域空間１２に暖気や冷気を供給することで居住域空間１２の空調がなされる。
そして、排気口３４から居住域空間１２内の空気を吸い込んで居住域空間１２外へ排出させることで、循環流Ｎ３を乱すことなく居住域空間１２内の換気を行なうことも可能となる。
【００２４】
次に、図７（Ａ）、（Ｂ）を参照して第１４、第１５実施例について説明する。
図７（Ａ）、（Ｂ）はそれぞれ建物の内部の外周部分の側面図で第１４、第１５実施例の空調方法の説明図を示す。
第１４、第１５実施例では、空調すべき居住域空間１２は、例えば、ドーム型の陸上競技場や野球場、サッカー場をなす建物１４の内部の巨大空間の一部分である（無論、屋外空間の一部分や建物の内部で上部が大気に開放されている空間であってもよい）。
建物１４の内部の外周部は、高さの異なる複数の床２２と、建物の内部に向いた複数の壁１６により建物１４の外側に向かうにつれて高くなる階段型に形成されており、各床２２上で壁１６の側方部分がそれぞれ居住域空間１２となっている。
各居住域空間１２を空調するに際して、居住域空間１２の上部に位置する壁１６箇所に循環流作成用空気吹き出し口１８が設けられ、循環流作成用空気吹き出し口１８の下方の壁１６箇所にガイド板２０が設けられ、ガイド板２０の下方の壁１６箇所に排気口３４が設けられてている。
ガイド板２０は、第１４実施例では、図７（Ａ）に示すように、ガイド板２０の上面が斜め前方に凸の円筒面２０Ａになるように形成され、第１５実施例では、図７（Ｂ）に示すように、ガイド板２０は均一な厚みの平坦な板状に形成されている。
【００２５】
各循環流作成用空気吹き出し口１８から水平に空気が吹き出されると、循環流作成用空気吹き出し口１８からの空気の流れＮ１はコアンダ効果によりガイド板２０側に曲げられ、ガイド板２０の先方において床２２に徐々に近づく空気の流れＮ２となり、この空気の流れＮ２とコアンダ効果により、各居住域空間１２に循環流Ｎ３が定常的に発生し、各居住域空間１２内の空気が空気流れＮ２の外側へ漏れることが防止され、暖気または冷気を各居住域空間１２へ供給することで各居住域空間１２の空調（暖房または冷房）がなされる。
そして、排気口３４から各居住域空間１２内の空気を各居住域空間１２外へ排出することで、各居住域空間１２の換気がなされる。
なお、上述の第１乃至第１５実施例において、ガイド板２０を伸縮可能に構成し、ガイド板２０を伸縮させることで循環流Ｎ３が発生する位置や大きさを変えるようにしてもよい。また、ガイド板２０を壁１６から離間接近する方向に移動可能に配置しておき、あるいは、ガイド板２０を揺動可能に配置し水平面に対するガイド板２０の傾きを変えられるように構成しておき、ガイド板２０を移動させることであるいはガイド板２０を揺動させることで循環流Ｎ３が発生する位置や大きさを変えるようにしてもよい。
【００２６】
次に、図８を参照して第１６実施例について説明する。
図８（Ａ）は建物の内部の外周部分の側面図で第１６実施例の空調方法の説明図を示し、図８（Ｂ）はガイド板の斜視図、図８（Ｃ）は上方から見たガイド板の配置図、図８（Ｄ）は図８（Ａ）のＤ矢視図を示す。
前記実施例と同様な箇所、部材に同一の符号を付して説明すると、第１６実施例では、循環流作成用空気吹き出し口１８の下方に壁部１６とは別体のガイド板２０が設けられ、循環流作成用空気吹き出し口１８の上方の壁部１６箇所からひさし状に上壁部３６が突出しており、ガイド板２０の上方に上壁部３６の下面３６Ａが臨んでいる点が前記第１乃至第１５実施例と異なっている。
循環流作成用空気吹き出し口１８は、居住域空間１２の直上において、壁１６の水平方向に一直線上に位置するように所定の長さ延在しかつ等間隔をおいて複数設けられ、複数の循環流作成用空気吹き出し口１８は全体として居住域空間１２の左右幅（壁１６の延在方向における寸法）に対応した長さとなっている。
本実施の形態では、居住域空間１２の直上に位置する壁部１６箇所から前方に膨出壁部３８が突出形成され、この膨出壁部３８の下面３８Ａは水平に延在して居住域空間１２の上方に臨み、また、膨出壁部３８の前面３８Ｂは鉛直に延在して前方に臨んでおり、循環流作成用空気吹き出し口１８は前記膨出壁部３８の前面３８Ｂに開口されている。
【００２７】
前記ガイド板２０は、図８（Ａ）、（Ｂ）で示すように、上面が上方に凸の湾曲面２０Ａで形成され、下面が平坦面２０Ｂで形成されている。そして、前後方向（循環流作成用空気吹き出し口１８から空気が吹き出される方向、または、壁部１６に対して直交する方向）の中間部に支軸２００２が設けられている。
前記支軸２００２の両端は、図８（Ｃ）に示すように、循環流作成用空気吹き出し口３２の間の中間壁部４０、中間壁部４０に設けられた回動調節機構４２により回動調節可能に支持され、従って、支軸２００２を中心に傾動調節可能に配設されている。また、前記支軸２００２の両端は、中間壁部４０、中間壁部４０に設けられた前後移動調節機構４４により、前後方向（循環流作成用空気吹き出し口３２から空気が吹き出される方向、または、壁部１６に対して直交する方向）に移動調節可能に配設されている。なお、回動調節機構４２や前後移動調節機構４４として従来公知の様々な機構を用いることができ、それらの構成は任意である。
【００２８】
なお、前記ガイド板２０の後端と、膨出壁部３８の前面３８Ｂとは間隔をおいて配置され、ガイド板２０の後端と膨出壁部３８の前面３８Ｂとの間には、居住域空間１２とガイド板２０の上方の空間とを連通する連通部４６が設けられている。
前記上壁部３６の下面３６Ａはほぼ水平に延在し、循環流作成用空気吹き出し口３２の両側の中間壁部４０の間で、ガイド板２０の円筒面２０Ａと上壁部３６の下面３６Ａとの間に、循環流作成用空気吹き出し口３２から吹き出される空気の流路４８が形成されている。
【００２９】
以上の構成において循環流作成用空気吹き出し口１８から空気を吹き出すと、循環流作成用空気吹き出し口１８からの空気の流れＮ１は流路４８を通り、流路４８の前端開口から吹き出され、流路４８の下面をなすガイド板２０の円筒面２０Ａおよびコアンダ（ＣＯＡＮＤＡ）効果によりガイド板２０側に曲げられ、ガイド板２０の先方において床２２に徐々に近づく空気の流れＮ２となる。
そして、床２２に徐々に近づく空気の流れＮ２により、空気の流れＮ２の下方に空気の流れＮ２に沿って流れる空気の流れＮ３０１が生じ、この空気の流れＮ３０１はコアンダ（ＣＯＡＮＤＡ）効果により床２２の上方において床２２に沿って壁１６に向かう空気の流れＮ３０２となり、この空気の流れＮ３０２は壁１６の前方で壁１６に沿って上方に向かう空気の流れＮ３０３となる。
そして、この空気の流れＮ３０３の一部はガイド板２０の下方でガイド板２０に沿って前方に向かう空気の流れＮ３０４となり、空気の流れＮ３０４は前記空気の流れＮ３０１となり、このようにして循環流Ｎ３が定常的に発生する。
また、壁１６に沿って上方に向かう空気の流れＮ３０３の残りの一部は連通部４６から流路４８に吸い込まれて前記空気流れＮ２となり、このように壁１６に沿って上方に向かう空気の流れＮ３０３の一部が連通部４６から流路４８に吸い込まれることで循環流Ｎ３がより効果的に作られることになる。
【００３０】
そして、循環流Ｎ３が発生することから、居住域空間１２内の空気は居住域空間１２内で循環することになり、居住域空間１２内の空気が空気流れＮ２の外側へ漏れることが防止される。
したがって、居住域空間１２に、例えば、図２（Ａ）、（Ｂ）、（Ｃ）の第３乃至第５実施例の方法で暖気や冷気を供給してやれば、これらの暖気や冷気は居住域空間１２外に逃げることなく居住域空間１２内を循環し、居住域空間１２の空調が効率良くなされることになる。
そして、本実施例では回動調節機構４２によりガイド板２０の傾きを変えることで、あるいは、前後移動調節機構４４によりガイド板２０を前後方向に移動させることで、循環流Ｎ３の位置や大きさをかえることができ、これに居住域空間１２の位置や大きさを調節できる。
なお、本第１６実施例も、図３、図５、図７に示すドーム型の陸上競技場や野球場、サッカー場をなす建物１４の内部の巨大空間の一部分で、建物１４の内部の外周部（無論、屋外空間の一部分や建物の内部で上部が大気に開放されている空間であってもよい）に階段型に設けられた各床２２上で壁１６の側方部分の各居住域空間１２にも無論適用される。
【００３１】
次に、図９、図１０を参照して第２の実施の形態について説明する。
図９は建物の外壁部分の側面図で第２の実施の形態の空調方法の説明図を示し、図１０（Ａ）乃至（Ｄ）はそれぞれ第２の実施の形態の空調方法の説明図を示している。
第２の実施の形態は、屋内または屋外の大空間を、ガイド板２０を用いずにコアンダ効果を利用して効果的に暖房するようにしたものである。
前記第１の実施の形態と同様な箇所、部材に同一の符号を付して説明すると、暖房すべき居住域空間１２は、例えば、建物１４の内部の巨大空間をなすアトリウムの一部分であり、壁１６の側方部分である。
居住域空間１２を暖房するに際して、居住域空間１２の上部に位置する壁１６箇所に循環流作成用空気吹き出し口１８を設ける。
【００３２】
前記循環流作成用空気吹き出し口１８は、居住域空間１２の直上において、居住域空間１２の左右幅（壁１６の延在方向における寸法）とほぼ同じ寸法で水平方向に延在して形成されている。
なお、前記循環流作成用空気吹き出し口１８は、居住域空間１２の左右幅方向の全長にわたり連続状に延在形成されている必要はなく、居住域空間１２の左右幅方向に間隔をおいて複数設けられていてもよい。
また、建物１４の内部空間の空気と同じ温度の空気を循環流作成用空気吹き出し口１８から吹き出させると、循環流作成用空気吹き出し口１８から吹き出される空気流れＮ１、Ｎ２の下方で、床２２と、壁１６で囲まれる空間、すなわち居住域空間１２に循環流Ｎ３が発生するように気流設計がなされている。
前記循環流作成用空気吹き出し口１８にはファンＦやヒータＨなどからなる暖房設備５０が連結され、暖房設備５０は制御手段５２により循環流作成用空気吹き出し口１８から吹き出す空気の温度や風量が調節可能に構成されている。
【００３３】
冬期に暖房しようとする場合、図１０（Ａ）に示すように、当初から循環流作成用空気吹き出し口１８から暖気を吹き出すと、建物１４の内部空間の空気との温度差が大きいため、この暖気の流れは浮力により上方に大きく曲げられ、したがって、居住域空間１２に循環流Ｎ３が形成されず暖房は困難となる。
そこで、第２の実施の形態では、暖房運転の当初、建物１４の内部空間の空気とほぼ同じ温度の空気を循環流作成用空気吹き出し口１８から吹き出させ、図１０（Ｂ）に示すように、まず、居住域空間１２に循環流を作る。
すなわち、循環流作成用空気吹き出し口１８から空気を吹き出させると、循環流作成用空気吹き出し口１８からの空気流れＮ１はコアンダ効果により床２２に近づくように下方に曲げられた空気流れＮ２となる。そして、床２２に近づく空気の流れＮ２により、空気の流れＮ２の下方に空気の流れＮ２に沿って流れる空気の流れＮ３０１が生じ、この空気の流れＮ３０１はコアンダ効果により床２２の上方において床２２に沿って壁１６に向かう空気の流れＮ３０２となり、この空気の流れＮ３０２は壁１６の前方で壁１６に沿って上方に向かう空気の流れＮ３０３となり、この空気の流れＮ３０３は空気流れＮ１、Ｎ２に沿って前方に向かう空気の流れＮ３０４、前記空気流れＮ３０１となり、このようにして循環流Ｎ３が発生する。
【００３４】
一方、循環流Ｎ３が一旦形成されると、循環流Ｎ３は安定して存在することが知られている。
したがって、居住域空間１２に循環流Ｎ３が作られた時点で、循環流作成用空気吹き出し口１８から吹き出す空気の温度を徐々に上げてき、循環流作成用空気吹き出し口１８から吹き出す空気を、居住域空間１２を暖房すべき所望の温度の暖気にしてやれば、循環流作成用空気吹き出し口１８から吹き出される暖気は、循環流Ｎ３の外側に逃げることなく循環流Ｎ３となって居住域空間１２を循環することになり、この状態を図１０（Ｃ）に示す。
【００３５】
循環流Ｎ３が形成されたか否かは、例えば、居住域空間１２の床２２上に風速センサ５４を配置し、風速センサ５４が所定値以上の風速を感知した時に循環流Ｎ３が形成されたと判断される。
また、居住域空間１２が所望の温度で暖房されているか否かは、例えば、居住域空間１２の壁１６に配置された温度センサ５６により検出される。
そして、制御手段５２は、風速センサ５４により循環流Ｎ３が作成されたと判断されたならば、例えば、当初からの風速を一定に維持しつつ循環流作成用空気吹き出し口１８から吹き出す空気の温度を、温度センサ５６により検出される温度が所望の温度になるまで時間の経過と共に徐々に上昇させるように構成されている。
さらに、風速センサ５４で感知される風速が所定値以下に下がったと判断されたならば、循環流Ｎ３が床２２から離れているため、循環流作成用空気吹き出し口１８から吹き出す空気の温度の上昇（加熱）を一旦取りやめ、上記の循環流Ｎ３の作成からやり直すように構成されている。
このように第２の実施の形態によれば、第１の実施の形態のようなガイド板２０を用いることなくコアンダ効果を利用することで屋内の空間または屋外の空間を効果的に暖房することができる。
【００３６】
次に、図１１を参照して第３の実施の形態について説明する。
図１１は建物の外壁部分の側面図で第３の実施の形態の空調方法の説明図を示している。
第３の実施の形態は、第２の実施の形態と同様に屋内または屋外の大空間を、ガイド板２０を用いずにコアンダ効果を利用して効果的に暖房するようにしたものである。
前記第１、第２の実施の形態と同様な箇所、部材に同一の符号を付して説明すると、暖房すべき居住域空間１２は、例えば、建物１４の内部の巨大空間をなすアトリウムの一部分であり、壁１６の側方部分である。
【００３７】
居住域空間１２を暖房するに際して、居住域空間１２の上部に位置する壁１６箇所に循環流作成用空気吹き出し口１８を設ける。
前記循環流作成用空気吹き出し口１８は、居住域空間１２の直上において、居住域空間１２の左右幅（壁１６の延在方向における寸法）とほぼ同じ寸法で水平方向に延在して形成されている。なお、建物１４の内部空間の空気と同じ温度の空気を循環流作成用空気吹き出し口１８から吹き出させると、循環流作成用空気吹き出し口１８から吹き出される空気流れＮ１、Ｎ２の下方で、床２２と、壁１６で囲まれる空間、すなわち居住域空間１２に循環流が発生するように気流設計がなされている。
前記循環流作成用空気吹き出し口１８からは、暖房前の建物１４の内部空間の温度とほぼ等しい温度の空気あるいは建物１４の外部の冷気が吹き出されるように構成されている。
前記循環流作成用空気吹き出し口１８よりも下方に位置する外壁１６部分には発熱体（不図示）が埋め込まれ、発熱体に通電することで外壁１６の内面１６Ａが暖められるように構成されている。
【００３８】
冬期に暖房しようとする場合、循環流作成用空気吹き出し口１８から空気を吹き出させ、また、発熱体に通電して外壁１６の内面１６Ａを暖める。
循環流作成用空気吹き出し口１８から空気の吹き出しにより、コアンダ効果により居住域空間１２に循環流Ｎ３が作られる。
すなわち、循環流作成用空気吹き出し口１８から空気を吹き出させると、循環流作成用空気吹き出し口１８からの空気流れＮ１はコアンダ効果により床２２に近づくように下方に曲げられた空気流れＮ２となる。そして、床２２に近づく空気の流れＮ２により、空気の流れＮ２の下方に空気の流れＮ２に沿って流れる空気の流れＮ３０１が生じ、この空気の流れＮ３０１はコアンダ効果により床２２の上方において床２２に沿って壁１６に向かう空気の流れＮ３０２となり、この空気の流れＮ３０２は壁１６の前方で壁１６に沿って上方に向かう空気の流れＮ３０３となり、この空気の流れＮ３０３は空気流れＮ１、Ｎ２に沿って前方に向かう空気の流れＮ３０４、前記空気流れＮ３０１となり、このようにして循環流Ｎ３が発生する。
【００３９】
そして、外壁１６の内面１６Ａにより空気が暖められて暖気が発生し、この暖気が循環流Ｎ３により居住域空間１２内を循環することになり、居住域空間１２の暖房がなされる。
上述のように循環流Ｎ３が一旦形成されると、循環流Ｎ３は安定して存在するので、外壁１６の内面１６Ａにより空気が暖められて暖気は、居住域空間１２の外側に逃げることなく循環流Ｎ３に乗って居住域空間１２を循環することになり、居住域空間１２の暖房がなされる。
なお、外壁１６の発熱体への通電は、循環流Ｎ３が作られる前に行なうか後に行なうかは問わず、任意であり、また、居住域空間１２を構成する床２２を暖め、床２２から暖気を発生させ循環流Ｎ３に乗せるようにしてもよい。
このように第３の実施の形態によれば、第１の実施の形態のようなガイド板２０を用いることなくコアンダ効果を利用することで屋内の空間または屋外の空間を効果的に暖房することができる。
【００４０】
次に、図１２を参照して第４の実施の形態について説明する。
図１２は建物の外壁部分の側面図で第４の実施の形態の空調方法の説明図を示している。
第４の実施の形態は、第２、第３の実施の形態と同様に屋内または屋外の大空間を、ガイド板２０を用いずにコアンダ効果を利用して効果的に暖房するようにしたものである。
前記第１乃至第３の実施の形態と同様な箇所、部材に同一の符号を付して説明すると、暖房すべき居住域空間１２は、例えば、建物１４の内部の巨大空間をなすアトリウムの一部分であり、壁１６の側方部分である。
【００４１】
居住域空間１２を暖房するに際して、居住域空間１２の上部に位置する壁１６箇所に循環流作成用空気吹き出し口１８を設け、更に、循環流作成用空気吹き出し口１８の上方に上吹き出し口６０を設ける。
前記循環流作成用空気吹き出し口１８は、居住域空間１２の直上において、居住域空間１２の左右幅（壁１６の延在方向における寸法）とほぼ同じ寸法で水平方向に延在して形成されている。なお、空気を循環流作成用空気吹き出し口１８から吹き出させると、循環流作成用空気吹き出し口１８から吹き出される空気流れＮ１、Ｎ２の下方で、床２２と、壁１６で囲まれる空間、すなわち居住域空間１２に循環流が発生するように気流設計がなされている。
前記循環流作成用空気吹き出し口１８からは、居住域空間１２が暖房すべき所望の温度となるように、暖気が吹き出されるように構成されている。
前記上吹き出し口６０は、循環流作成用空気吹き出し口１８の上方に位置する壁１６箇所に設けられ、居住域空間１２の左右幅（壁１６の延在方向における寸法）とほぼ同じ寸法で、すなわち、循環流作成用空気吹き出し口１８と同じ幅で水平方向に延在して形成されている。
前記上吹き出し口６０からは、暖房前の建物１４の内部空間とほぼ等しい温度の空気あるいは建物１４の外部の冷気が吹き出されるように構成されている。
【００４２】
冬期に暖房しようとする場合、循環流作成用空気吹き出し口１８から暖気を吹き出させ、また、上吹き出し口６０から暖房前の建物１４の内部空間とほぼ等しい温度の空気あるいは建物１４の外部の冷気を吹き出させる。
循環流作成用空気吹き出し口１８から暖気の吹き出しにより、コアンダ効果により居住域空間１２に循環流Ｎ３が作られる。
すなわち、循環流作成用空気吹き出し口１８から暖気を吹き出させると、循環流作成用空気吹き出し口１８からの空気流れＮ１はコアンダ効果により床２２に近づくように下方に曲げられた空気流れＮ２となる。そして、床２２に近づく空気の流れＮ２により、空気の流れＮ２の下方に空気の流れＮ２に沿って流れる空気の流れＮ３０１が生じ、この空気の流れＮ３０１はコアンダ効果により床２２の上方において床２２に沿って壁１６に向かう空気の流れＮ３０２となり、この空気の流れＮ３０２は壁１６の前方で壁１６に沿って上方に向かう空気の流れＮ３０３となり、この空気の流れＮ３０３は空気流れＮ１、Ｎ２に沿って前方に向かう空気の流れＮ３０４、前記空気流れＮ３０１となり、このようにして暖気からなる循環流Ｎ３が発生する。
【００４３】
この場合、循環流作成用空気吹き出し口１８からの暖気は、建物１４の内部空間の空気との温度差が大きいため、この暖気の流れＮ１、Ｎ２は浮力により上方に大きく曲げられようとするが、暖気の流れＮ１、Ｎ２の上方には、上吹き出し口６０から暖房前の建物１４の内部空間とほぼ等しい温度の空気あるいは建物１４の外部の冷たい温度の空気の流れＮ１０が存在し、この空気流れＮ１０もコアンダ効果により床２２に徐々に近づく流れとなるため、この空気流れＮ１０により、暖気の流れＮ１、Ｎ２が浮力により上方に大きく曲げられようとすることが阻止され、循環流作成用空気吹き出し口１８から吹き出す暖気により循環流Ｎ３が定常的に発生する。
これにより循環流作成用空気吹き出し口１８からの暖気が循環流Ｎ３により居住域空間１２内を循環することになり、暖気が循環流Ｎ３の外側に逃げることなく居住域空間１２の暖房が効果的に行われる。
このように第４の実施の形態によれば、第１の実施の形態のようなガイド板２０を用いることなくコアンダ効果を利用することで屋内の空間または屋外の空間を効果的に暖房することができる。
【００４４】
なお、第２乃至第４の実施の形態の暖房方法は、暖気と共に、香りや匂いなども所望領域の空間内に閉じ込めることができ、したがって、屋内や屋外の飲食店舗に適用することで、隣接する店舗に食べ物の臭気を流れないようにすることができる。
また、第２乃至第４の実施の形態の暖房方法は、図３、図５、図７に示すドーム型の陸上競技場や野球場、サッカー場をなす建物１４の内部の巨大空間の一部分（無論、屋外空間の一部分や建物の内部で上部が大気に開放されている空間を含む）で、建物１４の外周部に階段型に設けられた各床２２上で壁１６の側方部分の各居住域空間１２にも適用される。
【００４５】
【発明の効果】
以上の説明で明らかなように、本発明によれば、気体が物体に沿って流れるというコアンダ効果を利用することで、屋内空間は無論のこと、上部が開放された建物の内側の空間や、屋外の空間における居住域空間の空調を効率良く行なうことが可能となる。
【図面の簡単な説明】
【図１】（Ａ）、（Ｂ）はそれぞれ建物の外壁部分の側面図で第１の実施の形態の第１、第２実施例の空調方法の説明図である。
【図２】（Ａ）、（Ｂ）、（Ｃ）はそれぞれ建物の外壁部分の側面図で第１の実施の形態の第３、第４、第５実施例の空調方法の説明図である。
【図３】（Ａ）、（Ｂ）はそれぞれ建物の外周部の側面図で第１の実施の形態の第６、第７実施例の空調方法の説明図である。
【図４】（Ａ）、（Ｂ）はそれぞれ建物の外壁部分の側面図で第１の実施の形態の第８、第９実施例の空調方法の説明図である。
【図５】（Ａ）、（Ｂ）はそれぞれ建物の外周部の側面図で第１の実施の形態の第１０、第１１実施例の空調方法の説明図である。
【図６】（Ａ）、（Ｂ）はそれぞれ建物の外壁部分の側面図で第１の実施の形態の第１２、第１３実施例の空調方法の説明図である。
【図７】（Ａ）、（Ｂ）はそれぞれ建物の外周部の側面図で第１の実施の形態の第１４、第１５実施例の空調方法の説明図である。
【図８】（Ａ）は建物の外壁部分の側面図で第１の実施の形態の第１６実施例の空調方法の説明図、（Ｂ）はガイド板の斜視図、（Ｃ）はガイド板の配置を示す平面図、（Ｄ）は（Ａ）のＤ矢視図である。
【図９】建物の外壁部分の側面図で第２の実施の形態の空調方法の説明図である。
【図１０】（Ａ）、（Ｂ）、（Ｃ）はそれぞれ建物の外壁部分の側面図で第２の実施の形態の空調方法の説明図である。
【図１１】建物の外壁部分の側面図で第３の実施の形態の空調方法の説明図である。
【図１２】建物の外壁部分の側面図で第４の実施の形態の空調方法の説明図である。
【符号の説明】
１２  居住域空間
１４  建物
１６  壁
１８  循環流作成用空気吹き出し口
２０  ガイド板
２２  床
３２  空調用空気吹き出し口
３４  排気口
６０  上吹き出し口
Ｎ３  循環流
【図１】
0004254976.tif 000002
【図２】
0004254976.tif 000003
【図３】
0004254976.tif 000004
【図４】
0004254976.tif 000005
【図５】
0004254976.tif 000006
【図６】
0004254976.tif 000007
【図７】
0004254976.tif 000008
【図８】
0004254976.tif 000009
【図９】
0004254976.tif 000010
【図１０】
0004254976.tif 000011
【図１１】
0004254976.tif 000012
【図１２】
0004254976.tif 000013